(57)【要約】【課題】風呂熱回収動作の途中で凍結予防運転を行う場合に、配管の凍結を確実に予防することができる貯湯式給湯装置を提供する。【解決手段】風呂熱回収モードは、タンク水ポンプ１２及び浴水ポンプ２９を共に動作させる回収運転と、タンク水ポンプ１２を動作させずに浴水ポンプ２９を動作させる攪拌運転とを含む。第一の凍結予防運転は、ＨＰユニット７を稼働することで凍結を予防する運転である。第二の凍結予防運転は、ＨＰユニット７を稼働しない状態で、ＨＰ往き配管１４、ＨＰ戻り配管１５、及び風呂用熱交換器２０を通るタンク水循環流路にタンク水を循環させるとともに浴水循環流路に浴水を循環させる運転である。攪拌運転の最中に凍結予防運転が要求された場合には第一の凍結予防運転を実施する。【選択図】図６
2019116982.tif 000002
【特許請求の範囲】
【請求項１】
貯湯タンクと、
前記貯湯タンクに接続された流路を流れるタンク水と、浴槽からの浴水との間で熱を交換する熱交換器と、
前記タンク水を循環させるタンク水ポンプと、
前記浴槽と前記熱交換器との間を接続する浴水循環流路に前記浴水を循環させる浴水ポンプと、
水を加熱する加熱手段と、
前記浴槽内の前記浴水の熱を前記熱交換器を介して前記貯湯タンク内に回収するための風呂熱回収モードと、対象配管の凍結を予防するための第一の凍結予防運転と、前記対象配管の凍結を予防するための第二の凍結予防運転とを制御する制御手段とを備え、
前記風呂熱回収モードは、前記タンク水ポンプ及び前記浴水ポンプを共に動作させる回収運転と、前記タンク水ポンプを動作させずに前記浴水ポンプを動作させる攪拌運転とを含み、
前記第一の凍結予防運転は、前記加熱手段を稼働することで凍結を予防する運転であり、
前記第二の凍結予防運転は、前記加熱手段を稼働しない状態で、前記対象配管及び前記熱交換器を通るタンク水循環流路に前記タンク水を循環させるとともに前記浴水循環流路に前記浴水を循環させる運転であり、
前記攪拌運転の最中に凍結予防運転が要求された場合には前記第一の凍結予防運転を実施する貯湯式給湯装置。
【請求項２】
前記攪拌運転の最中に凍結予防運転が要求された場合に、前記第一の凍結予防運転を開始した後も前記攪拌運転を継続する請求項１に記載の貯湯式給湯装置。
【請求項３】
前記浴水循環流路の浴水温度を検出する温度検出手段をさらに備え、
前記制御手段は、前記攪拌運転の最中の前記浴水温度に基づいて前記攪拌運転を終了するか否かを決定する攪拌終了判定を実施可能であり、
前記制御手段は、前記攪拌運転が前記第一の凍結予防運転と並行して実施されているときには前記攪拌終了判定にかかわらず前記攪拌運転を継続し、前記第一の凍結予防運転の終了後の前記攪拌終了判定の判定結果に応じて前記攪拌運転を終了するか否かを決定する請求項２に記載の貯湯式給湯装置。
【請求項４】
前記攪拌運転の最中に凍結予防運転が要求された場合に、前記攪拌運転を中断して前記第一の凍結予防運転を実施し、前記第一の凍結予防運転の終了後に前記攪拌運転を再開する請求項１に記載の貯湯式給湯装置。
【請求項５】
前記攪拌運転の最中に凍結予防運転が要求された場合に、前記第一の凍結予防運転を開始した後も前記攪拌運転を継続するか、前記攪拌運転を中断して前記第一の凍結予防運転を実施するかを、ユーザーインターフェースを用いて事前に選択可能である請求項１に記載の貯湯式給湯装置。
【請求項６】
前記制御手段は、前記攪拌運転の開始時から経過した時間である攪拌時間が上限時間に達した場合には前記攪拌運転を終了し、
前記制御手段は、前記第一の凍結予防運転が実施中の時間を除いて前記攪拌時間を計算する請求項１から請求項５のいずれか一項に記載の貯湯式給湯装置。
【請求項７】
前記回収運転の最中に凍結予防運転が要求された場合には前記第二の凍結予防運転を実施する請求項１から請求項６のいずれか一項に記載の貯湯式給湯装置。
【請求項８】
前記回収運転の最中に凍結予防運転が要求された場合に、前記回収運転を中断して前記第二の凍結予防運転を実施し、前記第二の凍結予防運転の終了後に前記回収運転を再開する請求項７に記載の貯湯式給湯装置。
【請求項９】
前記浴水循環流路の浴水温度を検出する温度検出手段をさらに備え、
前記制御手段は、前記回収運転の最中の前記浴水温度に基づいて前記回収運転を終了するか否かを決定する回収終了判定を実施可能であり、
前記制御手段は、前記第二の凍結予防運転が実施されているときには前記回収運転を終了することを決定せず、前記第二の凍結予防運転が終了した後の前記回収終了判定によって前記回収運転を終了するか否かを決定する請求項７または請求項８に記載の貯湯式給湯装置。
【請求項１０】
前記制御手段は、前記回収運転の開始時から経過した時間である回収時間が上限時間に達した場合には前記回収運転を終了し、
前記制御手段は、前記第二の凍結予防運転が実施中の時間を除いて前記回収時間を計算する請求項７から請求項９のいずれか一項に記載の貯湯式給湯装置。
【請求項１１】
前記風呂熱回収モードの実施中に、前記第一の凍結予防運転が実施された回数と前記第二の凍結予防運転が実施された回数との合計が所定回数に達した場合には、前記制御手段は、前記風呂熱回収モードを終了する請求項１から請求項１０のいずれか一項に記載の貯湯式給湯装置。
【請求項１２】
前記風呂熱回収モードの実行中に、前記回収運転と前記攪拌運転とのいずれが実行中であるかを報知する報知手段を備える請求項１から請求項１１のいずれか一項に記載の貯湯式給湯装置。
【発明の詳細な説明】
【技術分野】
【０００１】
本発明は、貯湯式給湯装置に関する。
【背景技術】
【０００２】
入浴後に浴槽に残った浴水の熱を貯湯タンク内へ回収する風呂熱回収動作を実行可能な貯湯式給湯装置が知られている。また、下記特許文献１には、浴水から回収した廃熱を凍結予防運転に利用する技術が開示されている。
【先行技術文献】
【特許文献】
【０００３】
【特許文献１】特開２０１３−２４５９１９号公報
【発明の概要】
【発明が解決しようとする課題】
【０００４】
浴槽に残った浴水から回収した廃熱を凍結予防運転に利用する場合に、浴槽内の状態などによっては、十分な熱量を回収できない可能性があるので、配管の凍結を確実に予防することが困難となる可能性がある。
【０００５】
本発明は、上述のような課題を解決するためになされたもので、風呂熱回収動作の途中で凍結予防運転を行う場合に、配管の凍結を確実に予防することができる貯湯式給湯装置を提供することを目的とする。
【課題を解決するための手段】
【０００６】
本発明に係る貯湯式給湯装置は、貯湯タンクと、貯湯タンクに接続された流路を流れるタンク水と、浴槽からの浴水との間で熱を交換する熱交換器と、タンク水を循環させるタンク水ポンプと、浴槽と熱交換器との間を接続する浴水循環流路に浴水を循環させる浴水ポンプと、水を加熱する加熱手段と、浴槽内の浴水の熱を熱交換器を介して貯湯タンク内に回収するための風呂熱回収モードと、対象配管の凍結を予防するための第一の凍結予防運転と、対象配管の凍結を予防するための第二の凍結予防運転とを制御する制御手段とを備え、風呂熱回収モードは、タンク水ポンプ及び浴水ポンプを共に動作させる回収運転と、タンク水ポンプを動作させずに浴水ポンプを動作させる攪拌運転とを含み、第一の凍結予防運転は、加熱手段を稼働することで凍結を予防する運転であり、第二の凍結予防運転は、加熱手段を稼働しない状態で、対象配管及び熱交換器を通るタンク水循環流路にタンク水を循環させるとともに浴水循環流路に浴水を循環させる運転であり、攪拌運転の最中に凍結予防運転が要求された場合には第一の凍結予防運転を実施するものである。
【発明の効果】
【０００７】
本発明によれば、風呂熱回収動作の途中で凍結予防運転を行う場合に、配管の凍結を確実に予防することが可能となる。
【図面の簡単な説明】
【０００８】
【図１】実施の形態１による貯湯式給湯装置を示す図である。
【図２】実施の形態１による貯湯式給湯装置における攪拌運転のときの浴水の流れを示す図である。
【図３】実施の形態１による貯湯式給湯装置における回収運転のときのタンク水及び浴水の流れを示す図である。
【図４】実施の形態１による貯湯式給湯装置において、浴槽内に温度境界層が生成されたときの浴槽内の温度分布を模式的に示す図である。
【図５】実施の形態１による貯湯式給湯装置における第一の凍結予防運転のときのタンク水の流れを示す図である。
【図６】実施の形態１による貯湯式給湯装置における第二の凍結予防運転のときのタンク水及び浴水の流れを示す図である。
【図７】実施の形態１による貯湯式給湯装置において第一の凍結予防運転と攪拌運転とを並行して実施しているときのタンク水及び浴水の流れを示す図である。
【発明を実施するための形態】
【０００９】
以下、図面を参照して実施の形態について説明する。各図において共通または対応する要素には、同一の符号を付して、重複する説明を簡略化または省略する。
【００１０】
実施の形態１．
図１は、実施の形態１による貯湯式給湯装置３５を示す図である。図１に示すように、本実施の形態１の貯湯式給湯装置３５は、タンクユニット３３、ＨＰ（ヒートポンプ）ユニット７、及びリモコン装置４４を備える。ＨＰユニット７とタンクユニット３３との間は、ＨＰ往き配管１４とＨＰ戻り配管１５と図示しない電気配線とを介して接続されている。タンクユニット３３には、制御装置３６が内蔵されている。タンクユニット３３及びＨＰユニット７が備える各種弁類、ポンプ類等の作動は、これらと電気的に接続された制御装置３６により制御される。
【００１１】
リモコン装置４４は、運転動作指令及び設定値の変更などに関する使用者の操作を受け付ける機能を有する。リモコン装置４４は、ユーザーインターフェースの例である。制御装置３６とリモコン装置４４の間は、有線または無線により、双方向にデータ通信可能に接続されている。リモコン装置４４には、図示を省略するが、貯湯式給湯装置３５の状態等の情報を表示する表示部、使用者が操作するスイッチ等の操作部、スピーカ、マイク等が搭載されている。リモコン装置４４の表示部は、使用者に情報を報知する報知手段としての機能を有する。本実施の形態におけるリモコン装置４４は、表示部を報知手段として備えるが、変形例として、例えば音声案内装置のような他の報知手段を備えてもよい。
【００１２】
本実施の形態において、リモコン装置４４は、例えば台所、リビング、浴室などの壁に設置されたものでもよい。複数のリモコン装置４４が制御装置３６に対して通信可能でもよい。また、例えばスマートフォンのような携帯情報端末が貯湯式給湯装置３５のユーザーインターフェースとしての機能を有するように構成してもよい。当該携帯情報端末と制御装置３６とがネットワークを介して通信してもよい。
【００１３】
ＨＰユニット７は、水を加熱する加熱手段の例である。ＨＰユニット７は、圧縮機１、水冷媒熱交換器３、膨張弁４、空気熱交換器６を冷媒配管５にて環状に接続した冷媒回路を備える。ＨＰユニット７は、この冷媒回路によりヒートポンプサイクルの運転を行う。水冷媒熱交換器３では、圧縮機１で圧縮された冷媒と、タンクユニット３３から導かれた水との間で熱を交換することで、水が加熱される。圧縮機１で圧縮された冷媒と、水道等の水源から直接供給される水とを水冷媒熱交換器３で熱交換させることができる構成を備えてもよい。
【００１４】
ＨＰ往き配管１４に取り付けられた入水温度センサ４０は、水冷媒熱交換器３に流入する水の温度である入水温度を検出する。ＨＰ戻り配管１５に取り付けられた出湯温度センサ３９は、水冷媒熱交換器３から流出する湯の温度である出湯温度を検出する。また、外気温度を検出する外気温度センサ４９がＨＰユニット７に備えられている。
【００１５】
タンクユニット３３には、以下の各種部品及び配管などが内蔵されている。貯湯タンク８は、湯水を貯留する。貯湯タンク８の内部では、温度による水の密度の差によって、上側が高温で下側が低温になる温度成層を形成することができる。貯湯タンク８は、図示のような単一のタンクで構成されるものに限らず、直列に接続された複数のタンクを備えるものでもよい。直列に接続された複数の貯湯タンクでは、上位側のタンクの下部と、当該タンクに対して低位側となる次のタンクの上部とが管を介して順次連結される。以下の説明で、貯湯タンク８における高さ方向すなわち上下方向の位置に関して言及するが、貯湯タンク８が直列に接続された複数のタンクを備えるものである場合には、最上位のタンクから最下位のタンクまでの全体の階層において、上下方向の位置が特定されるものとする。以下の説明では、貯湯タンク８に溜められた湯水、及び貯湯タンク８に接続された流路を流れる水を「タンク水」と呼ぶことがある。
【００１６】
貯湯タンク８の下部に設けられた水導入口８ａには、第三給水配管９ｃが接続されている。水道等の水源から第一給水配管９ａを通って供給される水は、減圧弁３１で所定圧力に調圧された上で、第三給水配管９ｃを通って貯湯タンク８内に流入する。貯湯タンク８の上部には、貯湯タンク８内に貯留された湯を貯湯式給湯装置３５の外部へ供給するための温水導入出口８ｄと、ＨＰ戻り配管１５に連通可能な温水導入出口８ｅとが設けられている。貯湯タンク８の表面には、複数の貯湯温度センサ４１，４２，４３が高さを変えて取り付けられている。貯湯温度センサ４１は、中温水導入出口８ｆと同じ高さの位置、または中温水導入出口８ｆに近い高さの位置にある。貯湯温度センサ４２は、貯湯温度センサ４１より高い位置にある。貯湯温度センサ４３は、貯湯温度センサ４１より低い位置にある。これらの貯湯温度センサ４１，４２，４３で貯湯タンク８内の湯水の温度分布を検出することにより、貯湯タンク８内の残湯量または蓄熱量を把握できる。
【００１７】
制御装置３６は、ＨＰユニット７で加熱された湯を貯湯タンク８に流入させる貯湯運転を制御する。制御装置３６は、貯湯タンク８内の残湯量または蓄熱量に応じて、貯湯運転の開始及び停止などを制御する。貯湯運転では、以下のようになる。貯湯タンク８の下部から流出する低温水は、ＨＰ往き配管１４を経由してＨＰユニット７に導かれ、水冷媒熱交換器３において加熱され、湯すなわち高温水となる。この高温水は、ＨＰ戻り配管１５を経由して、貯湯タンク８の上部の温水導入出口８ｅから貯湯タンク８内に流入する。このような貯湯運転が実行されることで、貯湯タンク８の内部では、上層部から高温水が貯えられていき、この高温水層が徐々に厚くなっていく。制御装置３６は、貯湯温度センサ４１，４２，４３により把握される貯湯タンク８内の貯湯量または蓄熱量が所定量を超えると、貯湯運転を終了する。
【００１８】
タンクユニット３３には、タンク水ポンプ１２及び風呂用熱交換器２０が内蔵されている。タンク水ポンプ１２は、各種配管にタンク水を循環させるためのポンプであり、第一送水配管１３ａ上に設けられている。風呂往き配管２７及び風呂戻り配管２８は、浴槽３０に設置された浴槽アダプタ８０と、タンクユニット３３内の風呂用熱交換器２０との間を繋ぐ。以下の説明では、浴槽３０に溜められた湯を「浴水」と呼ぶことがある。風呂用熱交換器２０は、タンク水と、浴槽３０からの浴水との間で熱を交換する。
【００１９】
風呂用熱交換器２０は、風呂往き配管２７及び風呂戻り配管２８の途中に設置されている。本実施の形態では、風呂往き配管２７及び風呂戻り配管２８により、風呂用熱交換器２０と浴槽３０との間を接続する浴水循環流路が形成される。風呂往き配管２７の途中には、風呂用熱交換器２０を通過した浴水の温度を検出するための風呂往き温度センサ３７が設置されている。風呂戻り配管２８の途中には、浴水循環流路に浴水を循環させるための浴水ポンプ２９と、浴槽３０から出て風呂用熱交換器２０に入る前の浴水の温度を検出するための風呂戻り温度センサ３８と、浴槽３０内の水位レベルを検出するための水位センサ４６と、風呂戻り配管２８における水の循環を検出するため循環検出手段に相当するフロースイッチ４７とが設置されている。以下の説明では、風呂戻り温度センサ３８により検出される温度を「風呂戻り温度」と称する。また、風呂往き温度センサ３７により検出される温度を「風呂往き温度」と称する。本実施の形態における風呂戻り温度センサ３８及び風呂往き温度センサ３７の少なくとも一方は、「浴水循環流路の浴水温度を検出する温度検出手段」に相当する。
【００２０】
三方弁１１は、入口となるａポート及びｂポートと、出口となるｃポートとを有する流路切替手段である。三方弁１１は、ａ−ｃ、ｂ−ｃの２つの経路の間で流路切替可能に構成されている。
【００２１】
四方弁１６は、入口となるａポート及びｂポートと、出口となるｃポート及びｄポートとを有する流路切替手段である。四方弁１６は、ａ−ｃ、ａ−ｄ、ｂ−ｃ、ｂ−ｄの４つの経路の間で流路切替可能に構成されている。
【００２２】
四方弁１８は、入口となるａポートと、出口となるｂポート、ｃポート、及びｄポートとを有する流路切替手段である。四方弁１８は、ａ−ｂ、ａ−ｃ、ａ−ｄの３つの経路の間で流路切替可能に構成されている。
【００２３】
タンクユニット３３は、低温配管１０、第一送水配管１３ａ、第一温水配管１７ａ、第二温水配管１７ｂ、第三温水配管１９ａ、第四温水配管１９ｂ、及び第五温水配管１９ｃを有している。低温配管１０は、貯湯タンク８の下部に設けられた水導出口８ｂと、三方弁１１のａポートとを接続する。第一送水配管１３ａは、三方弁１１のｃポートと、タンク水ポンプ１２の入口とを接続する。ＨＰ往き配管１４は、タンク水ポンプ１２の出口と、ＨＰユニット７の入口とを接続する。ＨＰ戻り配管１５は、ＨＰユニット７の出口と、四方弁１６のｂポートとを接続する。第一温水配管１７ａは、四方弁１６のｄポートと、四方弁１８のａポートとを接続する。第二温水配管１７ｂは、四方弁１６のｃポートと、貯湯タンク８の下部に設けられた水導入口８ｃとを接続する。第三温水配管１９ａは、四方弁１８のｂポートと、貯湯タンク８上部の温水導入出口８ｅとを接続する。第四温水配管１９ｂは、四方弁１８のｄポートと、貯湯タンク８の上部に設けられた温水導入出口８ｄとを接続する。第五温水配管１９ｃは、四方弁１８のｃポートと、貯湯タンク８の上部から中間部の間に設けられた温水導入口８ｇとを接続する。
【００２４】
第一タンク循環配管２０ａは、第三温水配管１９ａの途中の位置と、風呂用熱交換器２０のタンク水の入口との間を接続する。第二タンク循環配管２０ｃは、風呂用熱交換器２０のタンク水の出口と、三方弁１１のｂポートとを接続する。第二送水配管１３ｂは、ＨＰ往き配管１４におけるタンク水ポンプ１２とＨＰユニット７の入口との間から分岐し、四方弁１６のａポートに接続される。
【００２５】
さらに、タンクユニット３３は、中温配管７９、第一給水配管９ａ、第二給水配管９ｂ、第三給水配管９ｃ、第四給水配管９ｄ、給湯用混合弁２２、風呂用混合弁２３、中温水切替弁７８、給湯配管２４、風呂配管２５、戻り配管２０ｂ、及び逆止弁５０を有している。
【００２６】
中温水切替弁７８は、入口となるａポート及びｂポートと、出口となるｃポートとを有する流路切替手段である。中温水切替弁７８は、ａ−ｃ、ｂ−ｃの２つの経路の間で流路切替可能に構成されている。
【００２７】
給湯用混合弁２２は、第一入口、第二入口、及び出口を備える混合手段である。風呂用混合弁２３は、第一入口、第二入口、及び出口を備える混合手段である。
【００２８】
第一給水配管９ａの一端は水道等の水源に接続される。第一給水配管９ａの他端には減圧弁３１を介して第二給水配管９ｂ及び第三給水配管９ｃが接続される。第二給水配管９ｂは、中温水切替弁７８のａポートに接続されている。中温配管７９は、貯湯タンク８の中間部に設けられた中温水導入出口８ｆと中温水切替弁７８のｂポートとを接続している。戻り配管２０ｂは、第二タンク循環配管２０ｃの途中から分岐して、中温配管７９の途中に接続されている。逆止弁５０は、戻り配管２０ｂ上に設置されている。逆止弁５０は、貯湯タンク８の中間部から貯湯タンク８の下部へ向かう流れを阻害する。これにより、貯湯タンク８の中間部から貯湯タンク８の下部への熱の流出を確実に防止できる。第四給水配管９ｄの一端は、中温水切替弁７８のｃポートに接続されている。第四給水配管９ｄの他端は、給湯用混合弁２２及び風呂用混合弁２３のそれぞれの第一入口に接続されている。高温配管２１の一端は、貯湯タンク８の温水導入出口８ｄに連通する。高温配管２１の他端は、給湯用混合弁２２及び風呂用混合弁２３のそれぞれの第二入口に接続されている。
【００２９】
中温水切替弁７８は、第二給水配管９ｂと第四給水配管９ｄとが連通する第一流路状態と、中温配管７９と第四給水配管９ｄとが連通する第二流路状態の２つの流路状態を切替えて使用する。中温水切替弁７８を第一流路状態にすると、水源から供給される低温水が、第二給水配管９ｂ及び第四給水配管９ｄを通って、給湯用混合弁２２及び風呂用混合弁２３へ供給される状態になる。中温水切替弁７８の第一流路状態は、「低温水使用状態」に相当する。中温水切替弁７８を第二流路状態にすると、貯湯タンク８から中温配管７９を通って供給される中温水が、第四給水配管９ｄを通って、給湯用混合弁２２及び風呂用混合弁２３へ供給される状態になる。中温水切替弁７８の第二流路状態は、「中温水使用状態」に相当する。
【００３０】
給湯用混合弁２２は、貯湯タンク８から高温配管２１を通って供給される高温水と、第四給水配管９ｄから供給される低温水もしくは中温水との流量比を調整することにより、使用者がリモコン装置４４にて設定した設定温度の湯を生成し、給湯配管２４に流入させる。給湯用混合弁２２で温度調整された湯は、給湯配管２４から給湯栓３４を経由して、使用者が利用するシャワー、カラン等の蛇口（図示省略）に供給される。
【００３１】
風呂用混合弁２３は、貯湯タンク８から高温配管２１を通って供給される高温水と、第四給水配管９ｄから供給される低温水もしくは中温水との流量比を調整することにより、使用者がリモコン装置４４にて設定した設定温度の湯を生成可能である。風呂用混合弁２３で設定温度に調整された湯は、風呂配管２５により、風呂用流量センサ４５、風呂用電磁弁２６、風呂往き配管２７、風呂戻り配管２８を経て、浴槽３０へ流入する。
【００３２】
制御装置３６は、風呂用流量センサ４５及び水位センサ４６により検出される情報に基づいて湯張りの完了を判定することにより、湯張り完了時の浴槽３０内の浴水の量である湯張り湯量が、使用者がリモコン装置４４にて設定した湯量に等しくなるように制御できる。本実施の形態の貯湯式給湯装置３５は、風呂自動運転を実行可能なものでもよい。リモコン装置４４にて風呂自動運転が設定されると、制御装置３６は、湯張りの完了後、浴槽３０内の浴水の温度及び量が、リモコン装置４４で設定された温度及び量に維持されるように、必要に応じて、浴水の昇温、冷却、たし湯、さし水を行う。
【００３３】
本実施の形態における制御装置３６は、風呂熱回収モードを制御モードとして備えている。風呂熱回収モードは、入浴の終了後に、浴槽３０内に残った浴水の熱を貯湯タンク８内へ回収するためのモードである。本実施の形態において、制御装置３６は、風呂熱回収モードのときに、回収運転と攪拌運転とを交互に行う。回収運転は、浴槽３０内の浴水の熱を貯湯タンク８内へ移送するための運転である。攪拌運転は、浴槽３０内の浴水を攪拌するための運転である。
【００３４】
図２は、実施の形態１による貯湯式給湯装置３５における攪拌運転のときの浴水の流れを示す図である。図２に示すように、攪拌運転のときには、以下のようになる。タンク水ポンプ１２を動作させることなく浴水ポンプ２９を動作させる。浴槽３０内の浴水が、浴槽アダプタ８０から風呂戻り配管２８へ引き込まれ、風呂用熱交換器２０に流入する。風呂用熱交換器２０を通過した浴水は、風呂往き配管２７を通って浴槽３０内に戻る。浴槽３０内から風呂戻り配管２８へ引き込まれる水流と、風呂往き配管２７から浴槽３０内へ噴き出す水流とによって浴槽３０内に強制対流が発生し、浴槽３０内の浴水が攪拌される。タンク水は風呂用熱交換器２０を流れないので、風呂用熱交換器２０で浴水との熱交換は行われない。
【００３５】
図３は、実施の形態１による貯湯式給湯装置３５における回収運転のときのタンク水及び浴水の流れを示す図である。図３に示すように、回収運転のときには、以下のようになる。三方弁１１は、ａポートとｃポートとが連通し、ｂポートが閉状態となるように制御される。これにより、低温配管１０と第一送水配管１３ａとが連通するとともに、第二タンク循環配管２０ｃへの流路が遮断される。四方弁１６は、ａポートとｄポートとが連通し、ｂポートとｃポートとが閉状態となるように制御される。これにより、第二送水配管１３ｂと第一温水配管１７ａとが連通するとともに、第二温水配管１７ｂ側を閉として貯湯タンク８の下部への流路が遮断される。四方弁１８は、ａポートとｂポートとが連通し、ｃポートとｄポートとが閉状態となるように制御される。これにより、第一温水配管１７ａと第三温水配管１９ａとが連通するとともに、第四温水配管１９ｂ及び第五温水配管１９ｃ側を閉として貯湯タンク８の中間部への流路が遮断される。
【００３６】
回収運転では、上記のように三方弁１１、四方弁１６、及び四方弁１８が制御された状態で、まず、浴水ポンプ２９が動作を開始することで浴水の循環が開始された後に、タンク水ポンプ１２の動作を開始することで、タンク水ポンプ１２及び浴水ポンプ２９を共に動作させる。
【００３７】
回収運転のときのタンク水は、以下のように循環する。貯湯タンク８の水導出口８ｂから低温配管１０を通って流出した低温のタンク水は、三方弁１１、第一送水配管１３ａ、タンク水ポンプ１２、第二送水配管１３ｂ、四方弁１６、第一温水配管１７ａ、四方弁１８、第三温水配管１９ａ、及び第一タンク循環配管２０ａを通って、風呂用熱交換器２０に流入する。風呂用熱交換器２０内で、タンク水は、浴槽３０からの浴水の熱により加熱され、浴槽３０内の浴水の温度に近い温度になる。この加熱されたタンク水を以下「熱回収温水」と呼ぶことがある。熱回収温水は、風呂用熱交換器２０から、戻り配管２０ｂ、逆止弁５０、及び中温配管７９を通って、中温水導入出口８ｆから貯湯タンク８内に流入して貯留される。戻り配管２０ｂに取り付けた温度センサ４８により、戻り配管２０ｂを流れる熱回収温水の温度を検出してもよい。
【００３８】
風呂往き配管２７及び風呂戻り配管２８を流れる浴水の流量を以下「浴水流量」とも呼ぶ。制御装置３６は、浴水ポンプ２９の回転速度を調整可能である。浴水ポンプ２９の回転速度が高いほど、浴水流量が高くなる。制御装置３６は、攪拌運転での浴水ポンプ２９の回転速度が、回収運転での浴水ポンプ２９の回転速度よりも高くなるように浴水ポンプ２９を制御してもよい。すなわち、制御装置３６は、攪拌運転での浴水流量が回収運転での浴水流量よりも高くなるように制御してもよい。これにより、以下の効果が得られる。攪拌運転では、風呂往き配管２７から浴槽３０内に流入する浴水の流速が高くなるので、浴槽３０内をより効率良く攪拌できる。回収運転では、浴水流量が比較的低いことで、浴水ポンプ２９の消費電力を低くできる。また、浴水が風呂用熱交換器２０に入ってから出るまでの時間が長くなるので、浴水の熱をより多くタンク水へ伝えることができる。
【００３９】
制御装置３６は、リモコン装置４４に対する使用者の操作に応じて風呂熱回収モードを開始してもよい。例えば、リモコン装置４４の所定のボタンが押下された場合に制御装置３６が風呂熱回収モードを開始してもよい。風呂熱回収モードが終了するまで、攪拌運転と回収運転とが交互に繰り返し実施される。
【００４０】
図４は、実施の形態１による貯湯式給湯装置３５において、浴槽３０内に温度境界層が生成されたときの浴槽３０内の温度分布を模式的に示す図である。浴槽３０の湯張りが完了してから長時間が経過した場合、あるいは風呂熱回収モードの回収運転が行われた場合には、密度の低い比較的高温の浴水が浴槽３０内の上方に滞留し、密度の高い比較的低温の浴水が浴槽３０内の下方に滞留することで、図４に示すような温度分布となる。
【００４１】
浴槽３０内に温度境界層が形成された状態から攪拌運転を行うと、浴槽３０内の温度境界層が壊され、比較的高温の上層側の浴水と比較的低温の下層側の浴水とが混ざり合う。その結果、浴槽アダプタ８０の高さでの浴水の温度が上昇するので、風呂用熱交換器２０に流入する浴水の温度が上昇する。よって、攪拌運転の後に回収運転を行うことで、熱回収効率が向上する。
【００４２】
制御装置３６は、風呂熱回収モードを開始する場合、回収運転から開始するのではなく、まず攪拌運転から開始することが好ましい。風呂熱回収モードの開始前に図４に示すような温度分布になっていた場合には、まず攪拌運転から開始することで、風呂用熱交換器２０に流入する浴水の温度を上昇させることができ、熱回収効率が向上する。変形例として、制御装置３６は、風呂熱回収モードを開始する場合、攪拌運転から開始するのではなく、まず回収運転から開始してもよい。
【００４３】
攪拌運転では、タンク水ポンプ１２が停止しているので、風呂用熱交換器２０内で浴水が冷却されることがない。よって、風呂往き配管２７から浴槽３０内に流入する噴流の温度が低くなることを防止できる。これにより、以下の効果が得られる。浴槽３０内の浴水全体の温度が均一化するまでに要する時間を短縮できるので、必要な攪拌運転の時間を短縮できる。その結果、風呂熱回収モード全体の所要時間を短縮できるので、使い勝手が向上する。さらに、タンク水ポンプ１２の消費電力を節約することもできる。
【００４４】
風呂熱回収モードにおいて、制御装置３６は、原則として、最後の攪拌運転の後に回収運転を行うことなく風呂熱回収モードの実行を終了することが望ましい。すなわち、制御装置３６は、原則として、攪拌運転のときに風呂熱回収モードの実行を終了するように制御することが望ましい。仮に、回収運転のときに風呂熱回収モードの実行が終了すると、攪拌運転により攪拌された浴槽３０内の浴水中に、回収できる熱量がまだ残っている状態で風呂熱回収モードの実行が終了する可能性があるので、熱回収量を十分に高くできない可能性がある。あるいは、最後の攪拌運転の段階で、実際はもう回収できる熱量が浴槽３０内に残っていないにもかかわらず、次の回収運転が実行される可能性がある。このような場合、最後の回収運転は、実際には熱回収に寄与していないので、タンク水ポンプ１２及び浴水ポンプ２９を駆動した消費電力が無駄になったり、風呂熱回収モードの終了タイミングが無駄に遅延したりすることになる。これに対し、原則として攪拌運転のときに風呂熱回収モードの実行を終了することで、熱回収量を十分に高くしつつ、熱回収に寄与しない無駄な回収運転の実行を確実に回避できるので、タンク水ポンプ１２及び浴水ポンプ２９の電力消費を抑制できる。また、風呂熱回収モードの終了タイミングが無駄に遅延することを確実に防止できる。
【００４５】
本実施の形態において、制御装置３６は、風呂熱回収モードの実行を終了するか否かを、攪拌運転のときの浴水温度に基づいて判定してもよい。攪拌運転のときには、風呂用熱交換器２０での熱交換がされていないので、回収できる熱量が浴槽３０内にまだ残っているかどうかを浴水温度に基づいてより正確に判定できる。このため、風呂熱回収モードの実行を終了するか否かを、攪拌運転のときの浴水温度に基づいて判定することで、風呂熱回収モードを終了するタイミングをより適切に判定できる。制御装置３６は、攪拌運転のときの、風呂戻り温度センサ３８または風呂往き温度センサ３７の検出温度に基づいて、風呂熱回収モードの実行を終了するか否かを判定してもよい。風呂戻り温度センサ３８または風呂往き温度センサ３７の検出温度を以下「浴水検出温度」と称する。
【００４６】
制御装置３６は、攪拌運転を終了して回収運転へ移行するか否かを当該攪拌運転の最中の浴水検出温度に基づいて決定する処理である「攪拌終了判定」を行うことができる。
【００４７】
攪拌運転の実行中の浴水検出温度は、通常は時間の経過とともに上昇していく。その場合、浴水検出温度の上昇速度は、時間の経過とともに低下していく。これは、浴槽３０内の浴水の温度が均一な状態に近づいていくためである。
【００４８】
攪拌終了判定において、制御装置３６は、浴水検出温度の時間当たりの変化量が基準よりも小さくなると、攪拌運転を終了して回収運転へ移行することを決定してもよい。攪拌運転において浴水検出温度の時間当たりの変化量が小さくなったことは、浴槽３０内の浴水の温度が均一な状態になったことを意味すると考えられる。このため、浴水検出温度の時間当たりの変化量が基準よりも小さくなったときに攪拌運転を終了して回収運転へ移行することで、適切なタイミングで攪拌運転を終了することができる。また、浴水検出温度の時間当たりの変化量に基づいて攪拌運転から回収運転への移行を決めるので、外乱による浴水検出温度の一時的な変動の影響を受けないで済む。よって、不適切なタイミングで攪拌運転を終了してしまうことを確実に防止できる。
【００４９】
上記の攪拌終了判定において、制御装置３６は、例えば以下のようにしてもよい。所定時間（例えば３０秒間）の間に検出された複数の浴水検出温度のうちの最大値と最小値との差が基準値（例えば２℃）以下である場合には、浴水検出温度の時間当たりの変化量が基準よりも小さいとみなしてもよい。
【００５０】
制御装置３６は、攪拌運転の開始から所定の攪拌必要時間だけ攪拌運転を継続した後に、攪拌終了判定を開始するようにしてもよい。攪拌必要時間は、浴槽３０内に図４のような温度境界層が形成された状態から、攪拌運転によって浴槽３０内の温度が均一になるまでに要する時間に相当する。なお、「浴槽３０内の温度が均一」とは、例えば、浴槽３０内において、底部の水温と、水面での水温との差が２℃以下であることとしてもよい。
【００５１】
以下、浴槽３０内の浴水の量を「浴槽湯量」と称する。浴槽湯量と攪拌必要時間との関係に関する情報は、実験及び理論計算の少なくとも一方によって求めることができる。制御装置３６は、浴槽湯量が比較的少ない場合の攪拌必要時間が、浴槽湯量が比較的多い場合の攪拌必要時間よりも短くなるように、浴槽湯量に応じて攪拌必要時間を設定してもよい。そのようにすることで、攪拌運転を継続する時間を浴槽湯量に応じてより適切に制御できる。上記の制御において、制御装置３６は、使用者がリモコン装置４４で設定した湯張り湯量の値を浴槽湯量とみなして制御してもよいし、あるいは、水位センサ４６で検出される水位によって浴槽湯量を計算してもよい。また、制御装置３６は、浴槽湯量に応じて、攪拌必要時間を複数段階に変えてもよいし、あるいは攪拌必要時間を連続的に変えてもよい。制御装置３６は、浴槽湯量にかかわらず、攪拌必要時間を一定にしてもよい。
【００５２】
攪拌運転を継続する時間が攪拌必要時間よりも短いと、浴槽３０内が十分に攪拌されないので、風呂用熱交換器２０に流入する浴水の温度を十分に上昇させることができない可能性がある。攪拌運転の開始から攪拌必要時間の経過後に攪拌終了判定を開始することで、攪拌運転を少なくとも攪拌必要時間だけ継続するので、浴槽３０内を確実に攪拌することができる。また、攪拌必要時間が経過した後では、攪拌終了判定を行うことで、攪拌運転を継続する時間が不必要に長くなることを防止できる。これにより、以下の効果が得られる。浴水ポンプ２９の消費電力を節約できる。風呂熱回収モード全体の所要時間を短縮できる。攪拌運転中に浴槽３０から熱が散逸することを抑制できる。
【００５３】
制御装置３６は、攪拌運転の最中に、当該攪拌運転の開始時から経過した時間である攪拌時間が所定の攪拌上限時間（例えば３０分間）に達した場合には、攪拌終了判定の結果にかかわらず、当該攪拌運転を終了して回収運転に移行するようにしてもよい。そのようにすることで、攪拌運転を継続する時間が長くなりすぎることをより確実に防止できる。
【００５４】
制御装置３６は、回収運転を終了して攪拌運転へ移行するか否かを当該回収運転の最中の浴水検出温度に基づいて決定する処理である「回収終了判定」を行うことができる。
【００５５】
通常、回収運転の実行中には、時間の経過とともに風呂戻り温度が低下していく。これは、風呂用熱交換器２０内でタンク水との熱交換により冷却された浴水が風呂往き配管２７から浴槽３０内に流入することで、浴槽３０内の浴水の温度が徐々に低下するためである。浴槽３０内では、前述したような温度境界層が形成される。浴槽３０内の温度境界層は、徐々に上に移動する。温度境界層が浴槽アダプタ８０の位置よりも上になると、比較的低温の浴水が風呂用熱交換器２０に流入するようになることから、熱回収効率が低下する。そのような状態になった場合には、回収運転から攪拌運転へ移行し、浴槽３０内を攪拌することが望ましい。
【００５６】
回収運転の実行中に、時間の経過とともに風呂戻り温度が低下していくと、風呂用熱交換器２０の内部において浴水とタンク水との温度差が縮小していくので、熱交換量が低くなる。その結果、浴槽３０から出る浴水の温度と浴槽３０に戻る浴水の温度との差が小さくなるので、風呂戻り温度の時間当たりの変化量が小さくなる。
【００５７】
回収終了判定では、以下のようにしてもよい。制御装置３６は、回収運転の最中に、風呂戻り温度センサ３８により検出された風呂戻り温度の時間当たりの変化量が基準よりも小さくなると、回収運転を終了して攪拌運転へ移行してもよい。風呂戻り温度の時間当たりの変化量が小さくなったことは、風呂用熱交換器２０での熱交換量の低下、すなわち熱回収効率の低下を意味すると考えられる。このため、風呂戻り温度の時間当たりの変化量が基準よりも小さくなったときに回収運転を終了して攪拌運転へ移行することで、適切なタイミングで攪拌運転を行い、熱回収効率を回復させることができる。また、風呂戻り温度の時間当たりの変化量に基づいて回収運転から攪拌運転への移行を決めるので、外乱による風呂戻り温度の一時的な変動の影響を受けないで済む。よって、不適切なタイミングで回収運転を終了してしまうことを確実に防止できる。
【００５８】
上記の回収終了判定において、以下のようにしてもよい。制御装置３６は、所定時間（例えば、１５秒間）の間に検出された複数の風呂戻り温度の検出値のうちの最大値と最小値との差が基準値（例えば１℃）以下である場合には、風呂戻り温度の時間当たりの変化量が基準よりも小さいとみなして、回収運転を終了して攪拌運転へ移行してもよい。
【００５９】
制御装置３６は、回収運転の最中に、当該回収運転の開始時から経過した時間である回収時間が所定の回収上限時間（例えば１時間）に達した場合には、回収終了判定の結果にかかわらず、当該回収運転を終了して攪拌運転に移行するようにしてもよい。そのようにすることで、回収運転を継続する時間が長くなりすぎることをより確実に防止できる。
【００６０】
回収可能な熱量が浴槽３０内にほとんど残っていない状態になると、攪拌運転を実行しても浴水検出温度がほとんど上昇しないようになる。２回目以降の攪拌運転の実行中に、制御装置３６は、浴水検出温度の時間当たりの変化量が基準よりも小さい場合には、風呂熱回収モードの実行を終了してもよい。
【００６１】
上記の処理において、制御装置３６は、例えば以下のようにしてもよい。制御装置３６は、攪拌運転の開始直後の所定時間において浴水検出温度の時間当たりの変化量を計算し、当該変化量が基準よりも小さい場合には、風呂熱回収モードの実行を終了してもよい。例えば、制御装置３６は、所定時間（例えば３０秒間）の間に検出された複数の浴水検出温度のうちの最大値と最小値との差が基準値（例えば２℃）以下である場合には、浴水検出温度の時間当たりの変化量が基準よりも小さいとみなして、風呂熱回収モードの実行を終了してもよい。
【００６２】
制御装置３６は、攪拌運転の実行中の浴水検出温度と、当該攪拌運転の開始時の浴水検出温度との差が、予め設定した所定値（例えば、２℃）以内となった場合には、次回の回収運転へ移行せず、そのまま風呂熱回収モードの実行を終了してもよい。また、制御装置３６は、攪拌運転の実行中の浴水検出温度が所定値（例えば３０℃）以下となった場合には、次回の回収運転へ移行せず、そのまま風呂熱回収モードの実行を終了してもよい。上記のようにすることで、回収可能な熱を確実に回収できるとともに、低温の浴水がタンク水と熱交換することによる効率低下を確実に防止できるため、効率的な熱回収が可能となる。
【００６３】
風呂熱回収モードの実行中には、風呂熱回収モードを実行していることをリモコン装置４４の表示部と音声案内装置との少なくとも一方により使用者に報知してもよい。これにより、自動で風呂熱回収モードが動作した場合に、使用者が誤動作だと誤解しないようにすることができる。また、回収運転と攪拌運転とのいずれが実行中であるかをリモコン装置４４の表示部と音声案内装置との少なくとも一方により使用者に報知してもよい。例えば、回収運転の最中にはリモコン装置４４の表示部に「回収中」と表示し、攪拌運転の最中にはリモコン装置４４の表示部に「攪拌中」と表示してもよい。これにより、浴槽３０内の浴水の熱を回収していない攪拌運転が実行されているときでも、機器の異常ではないことを使用者が確認することができ、使い勝手が向上する。
【００６４】
本実施の形態の貯湯式給湯装置３５は、凍結予防運転を自動で実施できる。凍結予防運転は、ＨＰ往き配管１４及びＨＰ戻り配管１５の内部の水が凍結することを予防するための運転である。本実施の形態において、ＨＰ往き配管１４及びＨＰ戻り配管１５は、凍結予防運転の対象となる「対象配管」に相当する。本実施の形態において、制御装置３６は、入水温度センサ４０の検出温度及び外気温度センサ４９の検出温度に基づいて、ＨＰ往き配管１４及びＨＰ戻り配管１５の凍結の懸念があるかどうか、すなわち凍結予防運転の要求があるかどうかを判定する。例えば入水温度センサ４０の検出温度及び外気温度センサ４９の検出温度が共に所定温度以下（例えば５℃以下）である場合に、凍結予防運転の要求があると判定してもよい。
【００６５】
本実施の形態の貯湯式給湯装置３５は、上述した凍結予防運転として、第一の凍結予防運転と第二の凍結予防運転とを実施可能である。第一の凍結予防運転は、ＨＰユニット７を稼働することで凍結を予防する運転である。本実施の形態における第一の凍結予防運転は、貯湯タンク８から流出したタンク水をＨＰユニット７により加熱した後に貯湯タンク８内に戻す運転となる。
【００６６】
図５は、実施の形態１による貯湯式給湯装置３５における第一の凍結予防運転のときのタンク水の流れを示す図である。図５に示すように、第一の凍結予防運転の動作は、貯湯運転と同様の動作となる。具体的には、以下のようになる。三方弁１１では、ａポートとｃポートとが連通する。四方弁１６では、ｂポートとｄポートとが連通する。四方弁１８では、ａポートとｂポートとが連通する。ＨＰユニット７及びタンク水ポンプ１２が運転される。貯湯タンク８の下部の水導出口８ｂから流出した低温水は、低温配管１０、三方弁１１、第一送水配管１３ａ、タンク水ポンプ１２、及びＨＰ往き配管１４を経由してＨＰユニット７に導かれ、水冷媒熱交換器３において加熱され、湯すなわち高温水となる。この高温水は、ＨＰ戻り配管１５、四方弁１６、第一温水配管１７ａ、四方弁１８、及び第三温水配管１９ａを経由して、温水導入出口８ｅから貯湯タンク８の上部に流入し、貯湯タンク８内に貯えられる。
【００６７】
制御装置３６は、所定の終了条件が成立すると、第一の凍結予防運転を終了する。例えば、入水温度センサ４０の検出温度が所定温度以上（例えば１０℃以上）になった場合、または第一の凍結予防運転の開始から所定時間（例えば１０分間）が経過した場合に、第一の凍結予防運転を終了してもよい。
【００６８】
図６は、実施の形態１による貯湯式給湯装置３５における第二の凍結予防運転のときのタンク水及び浴水の流れを示す図である。第二の凍結予防運転は、ＨＰユニット７を稼働しない状態で、ＨＰユニット７、ＨＰ往き配管１４、ＨＰ戻り配管１５、及び風呂用熱交換器２０を通るタンク水循環流路にタンク水を循環させるとともに、浴水循環流路に浴水を循環させる運転である。第二の凍結予防運転であれば、ＨＰユニット７を運転する必要がなく、浴槽３０に残った浴水から回収した廃熱を凍結予防運転に利用できるので、電力消費を抑制できる。第二の凍結予防運転の終了条件は、第一の凍結予防運転と同じでもよい。
【００６９】
図６に示すように、第二の凍結予防運転のときには、以下のようになる。三方弁１１では、ｂポートとｃポートとが連通する。四方弁１６では、ｂポートとｄポートとが連通する。四方弁１８では、ａポートとｂポートとが連通する。ＨＰユニット７を停止した状態で、タンク水ポンプ１２及び浴水ポンプ２９が運転される。浴水の流れは回収運転のときと同じである。タンク水は、以下のように流れる。風呂用熱交換器２０内で浴水により加熱されたタンク水は、第二タンク循環配管２０ｃ、三方弁１１、第一送水配管１３ａ、タンク水ポンプ１２、及びＨＰ往き配管１４を経由してＨＰユニット７の水冷媒熱交換器３に流入する。水冷媒熱交換器３を通過したタンク水は、ＨＰ戻り配管１５、四方弁１６、第一温水配管１７ａ、四方弁１８、第三温水配管１９ａ、及び第一タンク循環配管２０ａを経由して、再び風呂用熱交換器２０に流入する。
【００７０】
本実施の形態において、制御装置３６は、風呂熱回収モードの回収運転の最中に凍結予防運転が要求された場合には、第二の凍結予防運転を実施する。これにより、浴槽３０に残った浴水の廃熱を有効に利用することができ、ＨＰユニット７を稼働せずに凍結予防運転を行えるので、電力消費を抑制できる。なお、制御装置３６は、三方弁１１及び四方弁１６を切り替えることで、回収運転から第二の凍結予防運転に切り替えることができる。
【００７１】
上述したように、制御装置３６は、回収運転の最中に凍結予防運転が要求された場合には、図３の回収運転を中断して、図６の第二の凍結予防運転を実施する。この場合、制御装置３６は、第二の凍結予防運転が終了した後に、中断していた回収運転を再開することが望ましい。これにより、第二の凍結予防運転が実施された場合であっても、貯湯タンク８内への熱回収量を十分に確保することができる。
【００７２】
本実施の形態において、制御装置３６は、風呂熱回収モードの攪拌運転の最中に凍結予防運転が要求された場合には、第一の凍結予防運転を実施する。攪拌運転のときには、例えば図４に示すような温度境界層が浴槽３０内に形成されている可能性があるので、比較的低温の浴水が風呂用熱交換器２０に循環する可能性がある。このため、攪拌運転の最中に凍結予防運転が要求された場合に第二の凍結予防運転を実施したと仮定すると、風呂用熱交換器２０から流出するタンク水が、凍結予防運転を行うために十分な熱量を有していない可能性がある。その結果、凍結を確実に予防できない可能性がある。これに対し、本実施の形態では、攪拌運転の最中に凍結予防運転が要求された場合には第一の凍結予防運転を実施することで、十分な熱量をＨＰ往き配管１４及びＨＰ戻り配管１５に供給することができ、これらの凍結を確実に予防することが可能となる。
【００７３】
制御装置３６は、攪拌運転の最中に凍結予防運転が要求された場合には、浴水ポンプ２９を停止することにより攪拌運転を中断して、第一の凍結予防運転を実施してもよい。浴槽３０内が十分に攪拌された後にも攪拌運転が継続したと仮定すると、浴水ポンプ２９の電力消費が無駄になるとともに、風呂往き配管２７及び風呂戻り配管２８を流れる浴水から熱が散逸することにより、浴槽３０内の浴水の熱量が低下する可能性がある。これに対し、浴水ポンプ２９を停止した状態で第一の凍結予防運転を実施することで、浴水ポンプ２９の電力消費を抑制できるとともに、浴槽３０内の浴水の熱量が低下することを防止できる。この場合、制御装置３６は、第一の凍結予防運転が終了した後に、中断していた攪拌運転を再開することが望ましい。これにより、風呂熱回収モードを適切に再開することができるので、貯湯タンク８内への熱回収量を十分に確保することができる。
【００７４】
また、制御装置３６は、攪拌運転の最中に凍結予防運転が要求された場合に、第一の凍結予防運転を開始した後も攪拌運転を継続してもよい。すなわち、制御装置３６は、第一の凍結予防運転の最中に浴水ポンプ２９を動作させることで、第一の凍結予防運転と攪拌運転とを並行して実施してもよい。図７は、実施の形態１による貯湯式給湯装置３５において第一の凍結予防運転と攪拌運転とを並行して実施しているときのタンク水及び浴水の流れを示す図である。第一の凍結予防運転を開始した後も攪拌運転を継続することにより、第一の凍結予防運転の最中に攪拌運転の少なくとも一部を済ませることができる。このため、第一の凍結予防運転の終了後、速やかに回収運転に移行できるので、風呂熱回収モードが終了する時刻が遅延することを確実に抑制できる。
【００７５】
また、攪拌運転の最中に凍結予防運転が要求された場合に、第一の凍結予防運転を開始した後も攪拌運転を継続するか、攪拌運転を中断して第一の凍結予防運転を実施するかを、リモコン装置４４を用いて使用者が事前に選択可能であるように構成してもよい。これにより、使用者の要望または設置環境などに応じて、より適切な運転が可能となる。
【００７６】
前述したように、制御装置３６は、浴水検出温度の変化量に基づいて、攪拌終了判定及び回収終了判定を行う。第一の凍結予防運転あるいは第二の凍結予防運転が実行されている場合の浴水検出温度の変化量は、そうでない場合の浴水検出温度の変化量とは異なる可能性がある。例として、ＨＰ往き配管１４及びＨＰ戻り配管１５が短尺（例えば１ｍ）の環境で、第二の凍結予防運転を実施した場合、風呂用熱交換器２０で浴水より回収した熱量の、タンクユニット３３側での損失量が小さい。そのため、貯湯タンク８の下部に低温水があり、浴水から貯湯タンク８へ熱量を回収できる状態であるにもかかわらず、浴水検出温度の変化量が少ないため、浴水からの熱量回収が不可と誤判定する可能性がある。
【００７７】
上記のような誤判定をより確実に防止するために、制御装置３６は、以下のうちの少なくとも一つを行うことが望ましい。
（１）制御装置３６は、攪拌運転が第一の凍結予防運転と並行して実施されているときには攪拌終了判定にかかわらず当該攪拌運転を継続し、第一の凍結予防運転が終了した後の攪拌終了判定の判定結果に応じて当該攪拌運転を終了するか否かを決定することが望ましい。
（２）制御装置３６は、第二の凍結予防運転が実施されているときには回収運転を終了することを決定せず、第二の凍結予防運転が終了した後の回収終了判定によって回収運転を終了するか否かを決定することが望ましい。
（３）制御装置３６は、攪拌運転の開始時から経過した時間である攪拌時間が攪拌上限時間に達した場合に攪拌運転を終了する処理において、第一の凍結予防運転が実施中の時間を除いて攪拌時間を計算することが望ましい。
（４）制御装置３６は、回収運転の開始時から経過した時間である回収時間が回収上限時間に達した場合に回収運転を終了する処理において、第二の凍結予防運転が実施中の時間を除いて回収時間を計算することが望ましい。
【００７８】
制御装置３６は、風呂熱回収モードの実施中に、第一の凍結予防運転が実施された回数と第二の凍結予防運転が実施された回数との合計回数が所定回数（例えば２回または３回）達した場合には、風呂熱回収モードを終了するようにしてもよい。当該合計回数が当該所定回数に達した場合には、風呂熱回収モードの開始から比較的長い時間が経過しているので、浴槽３０内に残っている回収可能な熱量が少ないと考えられるためである。また、風呂熱回収モードが終了する時刻が大きく遅延することを防止する観点からも、上記のようにすることが望ましい。
【００７９】
また、制御装置３６は、風呂熱回収モードの回収運転の最中に凍結予防運転が要求された場合において、浴槽３０内に残っている回収可能な熱量が基準よりも少ないと判定した場合には、第二の凍結予防運転に代えて第一の凍結予防運転を実施してもよい。
【００８０】
上述した実施の形態の形態では、第一の凍結予防運転のときにＨＰユニット７により生成される熱を用いて凍結を予防するようにしているが、変形例として、水配管に取り付けられた加熱手段としての凍結防止ヒーター（図示省略）に通電して凍結防止ヒーターを稼働させることにより凍結を予防する運転を第一の凍結予防運転として行うようにしてもよい。
【符号の説明】
【００８１】
１  圧縮機、  ３  水冷媒熱交換器、  ４  膨張弁、  ５  冷媒配管、  ６  空気熱交換器、  ７  ＨＰユニット、  ８  貯湯タンク、  ８ａ  水導入口、  ８ｂ  水導出口、  ８ｃ  水導入口、  ８ｄ，８ｅ  温水導入出口、  ８ｆ  中温水導入出口、  ８ｇ  温水導入口、  ９ａ  第一給水配管、  ９ｂ  第二給水配管、  ９ｃ  第三給水配管、  ９ｄ  第四給水配管、  １０  低温配管、  １１  三方弁、  １２  タンク水ポンプ、  １３ａ  第一送水配管、  １３ｂ  第二送水配管、  １６  四方弁、  １７ａ  第一温水配管、  １７ｂ  第二温水配管、  １８  四方弁、  １９ａ  第三温水配管、  １９ｂ  第四温水配管、  １９ｃ  第五温水配管、  ２０  風呂用熱交換器、  ２０ａ  第一タンク循環配管、  ２０ｂ  戻り配管、  ２０ｃ  第二タンク循環配管、  ２１  高温配管、  ２２  給湯用混合弁、  ２３  風呂用混合弁、  ２４  給湯配管、  ２５  風呂配管、  ２６  風呂用電磁弁、  ２９  浴水ポンプ、  ３０  浴槽、  ３１  減圧弁、  ３３  タンクユニット、  ３４  給湯栓、  ３５  貯湯式給湯装置、  ３６  制御装置、  ３７  風呂往き温度センサ、  ３８  風呂戻り温度センサ、  ４１，４２，４３  貯湯温度センサ、  ４４  リモコン装置、  ４５  風呂用流量センサ、  ４６  水位センサ、  ４７  フロースイッチ、  ４８  温度センサ、  ４９  外気温度センサ、  ５０  逆止弁、  ７８  中温水切替弁、  ７９  中温配管、  ８０  浴槽アダプタ
【図１】
2019116982.tif 000003
【図２】
2019116982.tif 000004
【図３】
2019116982.tif 000005
【図４】
2019116982.tif 000006
【図５】
2019116982.tif 000007
【図６】
2019116982.tif 000008
【図７】
2019116982.tif 000009